(57)【特許請求の範囲】
【請求項１】
網を洗浄し、網への付着物を除去するための洗浄装置であって、該洗浄装置が
洗浄すべき網が通過する１または２以上の円筒状通路と、
該円筒状通路に設けられた切欠き部から網に圧水を噴射する１または２以上の高圧ノズルとからなり、
前記切欠部が、のり網の進行方向に沿って設けられる１または２以上の略管状部材により構成され、
前記円筒状通路が、のり網から洗浄されたのりが再付着することを防ぐために、入口から出口にかけて漸次高くなる勾配が形成されてなることを特徴とする網洗浄装置。
【請求項２】
前記２以上の通路が、上下方向に並設されてなることを特徴とする請求項１記載の装置。
【請求項３】
前記高圧ノズルが、前記通路の左右方向から高圧水を噴射することを特徴とする請求項１または２記載の装置。
【請求項４】
前記高圧ノズルが、回転ノズルであることを特徴とする請求項１〜３のいずれかに記載の装置。
【請求項５】
前記高圧ノズルから噴射される高圧水の水圧が１０〜１５０ｋｇ／ｃｍ2であることを特徴とする請求項１〜４のいずれかに記載の装置。
【請求項６】
網引き出し手段をさらに有することを特徴とする請求項１〜５のいずれかに記載の装置。
【請求項７】
前記勾配の角度が、３〜３０°であることを特徴とする請求項１〜６のいずれかに記載の装置。
【発明の詳細な説明】
【技術分野】
【０００１】
本発明は網洗浄装置に関する。さらに詳しくは、網を洗浄し、網への付着物を除去するための洗浄装置であって、該洗浄装置が洗浄すべき網が通過する１または２以上の通路と、該通路に設けられた切欠き部から網に圧水を噴射する１または２以上の高圧ノズルとからなり、前記通路が入口から出口にかけて漸次高くなる勾配が形成されてなることを特徴とする網洗浄装置に関する。
【背景技術】
【０００２】
従来、のり業者は、海面に設置されたのり網（使用前の状態では１枚当たり約２ｋｇであるが、のりと水分を含んで約５０〜１００ｋｇにも達している）を船に引き上げ、該船を覆うような状態で、のり葉を船に装着されたロータで刈り取るという作業を２〜１５度繰り返すことによって、のりを回収している。
【０００３】
一方、のり網の大きさは、地域によって多少異なるが、約１．６ｍ×２０ｍの矩形状を呈しており、かなり大きい。そのうえ、のり網は、一辺がたとえば約１６ｃｍと全体の大きさにくらべて小さい、菱形などの格子状メッシュから構成されており、のりは、この小さい格子状のメッシュにへばりつくように付着しており、また、のり網の撚り目に食い込んでいるものもある。したがって、かなりの時間と労力をかけてのり網に付着したのりの洗浄・除去作業をおこなっても、のりが、のり網の繊維にしっかりと絡まりついているため、撚り目に食い込んだのりまで完全に除去することができず、かつのりは腐敗し易いため、異臭を放ったり、害虫が発生したりして再使用できる状態ではなくなる。このため、のり網は、回収業者により回収されて廃棄されたり、海中、山中に投棄されたりするので、環境に優しくないという問題があった。
【０００４】
たとえば大型のパルセータ式洗濯機で、回収されたのり網に付着したのりを除去しようとする試みもあるが、のり網に付着したのりを完全には除去できず、一度とれたのりが洗濯機中に残り、のり網に再び付着することもあり、やはりのりを落とすことは困難であり、さらに、洗濯後網を取り出したときに、網の長さが約２０ｍもあるため、網全体がもつれることが多いという問題があった。
【０００５】
また、大型洗濯機１台でのり網を洗浄するには、１枚で約３０分ほどかかってしまうため、のり網の洗浄は短時間で大量に処理することができないという問題もあった。
【発明の開示】
【発明が解決しようとする課題】
【０００６】
そこで、本発明者らは、一度しか使用されていない網が、使用後、廃棄されているという現状と、資源の低消費（reduce）、再使用（reuse）、リサイクル（recycle）（低消費（reduce）、再使用（reuse）、リサイクル（recycle）の頭文字のＲを用いて３Ｒとも呼ばれている）が叫ばれている社会的ニーズに鑑みて、使用済みの網に付着した付着物を完全に除去することができ、かつ短時間に大量に網を洗浄し得るような洗浄装置を案出することを技術的課題としたのであるのである。なお、本発明において、網とは、のり網、養殖用網、その他の網を含む概念である。
【０００７】
また、のり網に付着したのりを完全に除去するために、一度のり網から除去されたのりの再付着を防止することを技術的課題としている。
【０００８】
また、一度に大量の網を洗浄することにより、労力の軽減、洗浄に使用する水の節約をすることを技術的課題としている。
【課題を解決するための手段】
【０００９】
本発明の網洗浄装置は、網を洗浄し、網への付着物を除去するための洗浄装置であって、該洗浄装置が洗浄すべき網が通過する１または２以上の円筒状通路と、該円筒状通路に設けられた切欠き部から網に圧水を噴射する１または２以上の高圧ノズルとからなり、前記切欠部が、のり網の進行方向に沿って設けられる１または２以上の略管状部材により構成され、前記円筒状通路が、のり網から洗浄されたのりが再付着することを防ぐために、入口から出口にかけて漸次高くなる勾配が形成されてなることを特徴とする。
【００１０】
また、前記２以上の通路が、上下方向に並設されてなることが好ましい。
【００１２】
また、前記高圧ノズルが、前記通路の左右方向から高圧水を噴射することが好ましい。
【００１３】
また、前記高圧ノズルが、回転ノズルであることが好ましい。
【００１４】
また、前記高圧ノズルから噴射される高圧水の水圧が１０〜１５０ｋｇ／ｃｍ2であることが好ましい。
【００１５】
また、のり網引き出し手段をさらに有することが好ましい。
【００１６】
また、前記勾配の角度が、３〜３０°であることが好ましい。
【発明の効果】
【００１７】
本発明によれば、のり網の再付着を防止し、使用済みののり網に付着したのりを完全に除去することができ、かつ一度に大量にのり網を洗浄することができるので、資源の低消費（reduce）、再使用（reuse）、リサイクル（recycle）を実現し、環境に優しいのり網洗浄装置を提供することができる。
【００１８】
また、一度に大量の網を洗浄することができるので、労力の軽減、洗浄に使用する水の節約が可能である。
【００１９】
また、洗浄装置に３〜３０°の勾配を設けたので、洗浄後ののりが再度のり網に付着しない。
【発明を実施するための最良の形態】
【００２０】
以下、添付図面を参照しながら本発明の網洗浄装置（以下、単に「洗浄装置」という）を詳細に説明する。
【００２１】
図１は本発明の一実施の形態にかかわる洗浄装置の概略を示す説明図である。図２は本発明の洗浄装置に用いられる高圧ノズルを示す図である。図３は本発明の洗浄装置に用いられる高圧ノズルの噴射部を示す図である。図４（ａ）は本発明の洗浄装置に用いられる高圧ノズルを示す斜視図、（ｂ）は本発明の洗浄装置に用いられる高圧ノズルの側面図である。図５（ａ）は本発明の洗浄装置に用いられる挿通路を示す斜視図、（ｂ）は本発明の洗浄装置に用いられる挿通路の断面図である。図６は本発明の洗浄装置の勾配の角度を説明するための図である。図７は本発明の洗浄装置に用いられるのり網分配手段を示す図である。図８は本発明の洗浄装置の一実施の形態を示す図である。
【００２２】
図１〜２を参照すると、本実施の形態の洗浄装置１は、金属製または合成樹脂製の洗浄室に洗浄されるべきのり網Ｎ１〜Ｎ３が通される通路２１、２２、２３が形成され、該洗浄室に羅着、溶接、熱融着など、従来より公知の固着手段によって固着、支持された１または２以上の高圧ノズル３とからなり、前記通路２１、２２、２３はのりが付着したのり網が導入される入口から洗浄後ののり網が退出される出口にかけて漸次高くなる勾配が形成されている。
【００２３】
通路２は、洗浄室内部を貫いて形成され、のり網Ｎ１〜Ｎ３の洗浄中、入口から出口までのり網Ｎ１〜Ｎ３を支持する。通路２は、特に材質は限定されないが、金属製または合成樹脂製であることが好ましく、特にステンレスなどの滑りのいい素材が最適である。通路２に、図１のように入口から出口にかけて勾配を設けることにより、洗浄されたのりが重力により入口方向へ向かって落ちるため、一度洗浄されたのりが再度付着しにくく、のり網に付着したのりを完全に除去することに寄与する。
【００２４】
また、通路２は、複数設けることができ、一度に大量ののり網を洗浄することができる。図１では、上下方向に３つの通路２１、２２、２３が形成され、それぞれのり網Ｎ１、Ｎ２、Ｎ３が導入される。このとき、のり網Ｎ１〜Ｎ３が絡まないように、のり網分配手段４を形成することができ、のり網分配手段４を介してのり網Ｎ１〜Ｎ３を別々の通路２１、２２、２３へ導入する。また、のり網Ｎ１〜Ｎ３をスムーズに通路２へ導入するために、ローラＲ１を設けることも可能である。なお、通路２の数は、図１のように３つに限定されるものではなく、適宜設計変更が可能である。
【００２５】
通路２を通過するのり網Ｎ１〜Ｎ３は、洗浄室内の高圧ノズル３、たとえば高圧ジェット式ノズルにより、高圧水を噴射され、のり網に付着したのりが除去される。高圧水は、図示しないタンク内から供給され、高圧ポンプＰ（以下、単にポンプＰという）から配管Ｃを介して高圧ノズル３により噴射される。
【００２６】
除去されたのりは、回収機構５により回収され、その後脱水機（図示せず）にかけられ再利用される。この回収機構５により、洗浄後、のり網から除去されたのりを廃棄することなく、有効に利用することができ、資源の低消費（reduce）、再使用（reuse）、リサイクル（recycle）を実現することができる。回収されたのりは、たとえば、飼料、食用に加工されたり、肥料として加工することが可能である。
【００２７】
洗浄されたのり網Ｎ１〜Ｎ３は、通路２の出口から退出すると、入口側と同様にのり網分配手段４により分配され、のり網引き出し手段であるローラＲ２、Ｒ３を介して送られる。なお、本発明において、のり網引き出し手段は、ローラに限られることはなく、人力でも構わないし、のり網の引き出しが可能な公知の手段が含まれる。図１では、ローラＲ２はモータＭにより駆動力を付与され反時計回りに回転し、図１中の右方向へのり網が移送される。従動ローラであるＲ３が載置された台には、ガスダンパーＤが設けられ、のり網の厚みに従って、上下方向に揺動可能にされている。なお、ローラの数は２つに限定されることはなく、３つ以上のローラから構成することも可能である。また、上部に配設されたローラＲ２、下部に配設されたローラＲ３の形状は、たとえば円柱状が好適に採用されるが、この形状に限られない。たとえば、紡錘状や、鞍状の形状も採用し得る。
【００２８】
さらに、ローラＲ２、Ｒ３は、互いに接触するように配設されておりさえすればよく、必ずしも互いに平行に配設する必要はない（すなわち、互いにねじれの状態で配設することも可能である）。
【００２９】
そして、当該ローラＲ２、Ｒ３のうちの少なくともいずれかに人力（クランクによってトルクを発生させる）または動力（モータＭにより発生した回転トルクを、ベルトまたは歯車（図示されていない）により伝達する）により回転トルクが付与されるようにすることもできる。なお、モータＭにより発生した回転は、のり網の進行速度を調節するため、たとえば、インバータ、減速歯車機構などにより変速することも可能である。
【００３０】
また、下部に配設されたローラＲ３に対して、圧縮コイルバネ（または引張コイルバネ）や空気バネなどの従来より公知の付勢手段により付勢することにより、下部に配設されたローラＲ３に押圧力を付与することもできる。
【００３１】
また、本発明の装置は、たとえば装置本体の下部にローラを形成するなど、公知の手段により移動可能にすることができる。
【００３２】
つぎに、図２、図３を参照して、本発明に用いられる高圧ノズル３について説明する。通路２を通過するのり網Ｎは、ポンプＰから配管Ｃを介して供給される高圧水が高圧ノズル３により噴射されることにより洗浄される。図２における高圧ノズル３は、回転ノズルであり、軸Ａの周りに回転し、旋回腕３０の両端に設けられた、噴射孔を有する噴射部３１、３２により高圧水が噴射される。図２においては、１つの高圧ノズルあたり、噴射部が両端に２つずつ、計４つ設けられているが、噴射部の数は特に限定されるものではない。
【００３３】
図３に示されるように、噴射部３１、３２は、軸Ｘに対して互いに逆方向に角度θ(θ＝３〜２５度）だけ噴射方向が偏向されている。このように角度θだけ偏向させることにより高圧ノズル３に回転力を発生させることができ、回転数は１分間で５０〜３００回転させることにより、洗浄室内の広い範囲に亘って噴射することができ、かつ、のりを落としやすくなるという利点を有する。
【００３４】
高圧ノズル３は、のり網Ｎの通路２の左右方向から約１０〜１５０ｋｇ／ｃｍ2の高圧水（より好ましくは、８０〜１２０ｋｇ／ｃｍ2の高圧水）を噴射し、のり網Ｎを洗浄する。高圧ノズル３の本数、位置は、特に限定されることはなく、所望の洗浄能力に応じて適宜本数の増減が可能であり、高圧ノズルの位置も、上下から噴射できる位置に設けることもできるし、通路２のあらゆる方向から噴射できる位置に設けることも可能である。のり網Ｎの進行方向に沿って、複数の高圧ノズル３を設けることにより、洗浄能力を適宜調整することが可能である。
【００３５】
図４は、高圧ノズルの他の形態を示す図である。高圧ノズル５は、軸Ａ２の周りを回転部５２が回転する。回転部５２に設けられた噴射部５１から高圧水が噴射され、噴射部５１は、回転部５２の周方向に向かって偏向しており、回転部５２の外周より広い範囲への噴射が可能である。
【００３６】
次に図５（ａ）および（ｂ）を参照して、通路２を説明する。通路２は、のり網Ｎが通過する通路であり、のり網が通過可能、洗浄可能であればその形状は特に限定されないが、図５のように、高圧ノズル３により高圧水が噴射する箇所が露出するように一部が切り欠いて形成されている。図５では、円筒状通路７の間に、切欠き部８が形成されている。本発明において、切欠き部８とは、高圧ノズルによる高圧水をのり網に噴射するために、通路の一部分が切り欠かれている部分をいい、たとえば高圧ノズルの噴射箇所のみが切り欠かれている部分や、図５のように略環状部材の間に形成された空隙まで含む概念である。
【００３７】
当該切欠き部８には、のり網を保持する保持手段を設けることができ、図５（ａ）では、略環状部材６が、のり網Ｎの進行方向に対して垂直な面上に複数連続して設けられることにより、のり網Ｎを保持する。複数の略環状部材６は、溶接または熱融着することにより、円筒状通路７に固着されているが、固着手段は、螺子での螺着など公知の固着手段であれば、特に限定されることはない。略環状部材６および円筒状通路７は、金属製または合成樹脂製であることが好ましいが、素材は特に限定されることはない。また、保持手段は、略環状部材６の形状に限られることはなく、略矩形状、略多角形状であってもよい。
【００３８】
図５（ａ）のように通路２が略環状部材６を含み、円筒状通路７と略環状部材６とが交互に配設されることにより、円筒状通路７をのり網Ｎが通過するときに、網の結び目による抵抗を低減することができる。また、略環状部材６および円筒状通路７は、図５（ｂ）に示されるように、網の結び目によるのり網Ｎの進行方向に対する抵抗を低減するために、のり網の進行方向に対して面取りがされ、丸みを帯びている。
【００３９】
また、通路２に仕切り板を設けると、飛び散ったのりが洗浄後ののり網に付着するのを防ぐことができるという利点がある。仕切り板は、通路２の上部、下部、隣接する高圧ノズルと高圧ノズルの間等に設けることができるが、特に設置場所は限定されない。また、本発明の装置の上部に、のり網の飛散を防止するための飛散防止カバーを設けることもできる。
【００４０】
つぎに、図６（ａ）、（ｂ）を参照して、通路２の入口側から出口側にかけて形成された勾配について説明する。図６（ａ）は、洗浄装置１自体を、通路２の出口側が高くなるように傾けたものであり、図６（ｂ）は、洗浄装置１自体は傾けず、通路２のみを傾けて勾配を形成したものである。勾配の形成方法は、特に限定されるものではなく、のり網の洗浄箇所のみに勾配を形成することも可能である。このように、通路２に勾配を設けることにより、除去されたのりが、再度のり網に付着しないようにすることができる。勾配の角度は、特に限定されないが、θ＝３〜３０°であることが好ましく、さらに好ましくは４〜６°である。
【００４１】
つぎに、図７を参照し、のり網分配手段４について説明する。のり網分配手段４は、通路２に導入し、通路２から退出するのり網Ｎがもつれないように、複数ののり網Ｎを誘導するための手段である。図７では、梯子状の形状を呈しており、それぞれの開口部にのり網が導入され、退出することにより、のり網Ｎが、それぞれ離れた入口、出口から出入りするので通路の入口側、出口側でのり網同士がもつれたり、絡まったりすることがなくなる。図７では、梯子状の形状を呈しているが、のり網分配手段４は、特に形状が限られることはない。
【実施例】
【００４２】
図１および図８に示されるような、通路２が上下方向に３つ設けられ、高圧ノズルが左右に３箇所ずつ設けられた洗浄装置１を用いて、３箇所でのりの洗浄をした。入口側の２箇所の洗浄箇所には、８０ｋｇ／ｃｍ2の高圧水を噴射する高圧ノズル３（旋回腕の長さが１７０ｍｍ）を左右に２箇所ずつ設け、出口側の洗浄箇所には、５０ｋｇ／ｃｍ2の高圧水を噴射する高圧ノズル５を左右に設けた。通路２には、直径７０ｍｍのステンレス製の円筒状通路７と直径５０ｍｍの略環状部材６を交互に設け、３箇所の洗浄箇所の長さは、２５０ｍｍであった。また、洗浄装置には、出口側が高くなるような勾配が角度２０°で形成されているものを使用した。洗浄されるのり網Ｎの大きさは、１枚が１．６ｍ×２０ｍであり、洗浄前ののり網の重さは、１枚あたり６０ｋｇであった。こののり網の端と端を結び、１０枚ののり網を一列につなぎ、それぞれの通路を通過させた。したがって、通路が３つであるので、合計３０枚ののり網を洗浄した。以下、洗浄方法を説明する。
【００４３】
（１）まず、通路２の出口側からフック付ワイヤーを入口側に通し、洗浄されるべきのり網の四隅から伸ばされた糸にフックを引っ掛け、入口側ののり網分配手段の開口部、挿通路２、出口側のり網分配手段、ローラＲ２、Ｒ３の間を通し、３枚ののり網を洗浄可能な状態にした。
【００４４】
（２）モータＭを駆動し、ローラＲ２を回転させ、のり網Ｎを進行させると同時に、ポンプＰからの高圧水を高圧ノズル３および高圧ノズル５により噴射した。高圧ノズル３および５は、左右両側からのり網に高圧水を噴射するので、のり網Ｎを洗浄するとともに、のり網Ｎを略環状部材からはみ出すことを防ぐことができ、スムーズにのり網Ｎを移送することができた。
【００４５】
（３）通路２内を通過するのり網Ｎ１〜Ｎ３は、まず第１の洗浄部で、粗洗浄を行なった。粗洗浄は、高圧ノズル３が回転することにより、略環状部材を通過するのり網Ｎ１〜Ｎ３の全てに、高圧水を噴射することができ、表面についたのりを除去した。
【００４６】
（４）粗洗浄後、円筒状通路を通り、第２の洗浄部において、中間洗浄を行なった。中間洗浄では、粗洗浄と同様に、高圧ノズル３が回転することにより、略環状部材６を通過するのり網Ｎ１〜Ｎ３の全てに、高圧水を噴射し、のりを除去した。
【００４７】
（５）中間洗浄後、円筒状通路７を通り、第３の洗浄部において、すすぎ洗浄を行なった。すすぎ洗浄は、高圧ノズル５により行ない、のり網Ｎ１〜Ｎ３を洗浄した。
【００４８】
その結果、３０枚ののり網の洗浄を３０分で行なうことができ、１枚あたり１分ですることができた。さらに、洗浄前にのり網に付着したのりは、洗浄後はほとんどのり網に残っておらず、洗浄後の１枚あたりの重さは、２．６ｋｇとなった。のり網の撚り目にも、のりが残っておらず、のりを完全に除去することができ、のりの臭いも無くなった。
【００４９】
さらに、使用した水の量は、高圧ノズルの水量（６箇所の高圧ノズルの合計）が１５０Ｌ／分であり、３０枚ののり網を洗浄するのに、４５００Ｌの水を消費した。洗濯機での洗浄では、１枚ののり網を洗浄するのに、４２０Ｌ／分の水を消費し、１枚あたり３０分かかるので、３０枚ののり網を洗浄するのに４２０×３０×３０＝３７８０００Ｌの水を必要とする。本発明の装置を用いることにより、大幅に水量を節約することがわかった。
【図面の簡単な説明】
【００５０】
【図１】本発明の一実施の形態にかかわる洗浄装置の概略を示す説明図である。
【図２】本発明の洗浄装置に用いられる高圧ノズルを示す図である。
【図３】本発明の洗浄装置に用いられる高圧ノズルの噴射部を示す図である。
【図４】（ａ）は本発明の洗浄装置に用いられる高圧ノズルを示す斜視図、（ｂ）は本発明の洗浄装置に用いられる高圧ノズルの側面図である。
【図５】（ａ）は本発明の洗浄装置に用いられる通路を示す斜視図、（ｂ）は本発明の洗浄装置に用いられる通路の断面図である。
【図６】図６は本発明の洗浄装置の勾配の角度を説明するための図である。
【図７】本発明の洗浄装置に用いられるのり網分配手段を示す図である。
【図８】本発明の洗浄装置の一実施の形態を示す図である。
【符号の説明】
【００５１】
１  洗浄装置
２、２１、２２、２３  通路
３、５  高圧ノズル
４  のり網分配手段
Ｈ  保持手段
【図１】
0005215005.tif 000002
【図２】
0005215005.tif 000003
【図３】
0005215005.tif 000004
【図４】
0005215005.tif 000005
【図５】
0005215005.tif 000006
【図６】
0005215005.tif 000007
【図７】
0005215005.tif 000008
【図８】
0005215005.tif 000009